(57)【要約】【課題】医用画像情報に含まれる文字画像情報の読み取りミスに起因する受信側の装置でのエラーを無くす医用画像ゲートウェイ装置およびプログラムを実現すること。【解決手段】オペレータが、受信側の装置でエラーを生じさせる文字コードを、設定手段２４０から無視文字辞書２２５に設定し、コード変換部２３２が、読み取られた文字画像情報を文字コードに変換した後で、この文字コードが無視文字辞書２２５に設定された文字コードである場合に、この文字コードを無視あるいは別途設定された特定コードに変換することとしているので、受信側の装置で、転送された画像情報を用いる際に、この文字コードに起因するエラーを発生させることなく動作させることを実現する。【選択図】      図１
2004265293.tif 000002
【特許請求の範囲】
【請求項１】
医用画像装置から画像情報を取得し、前記画像情報の指定領域に存在する文字画像情報を文字コード情報に変換する文字認識部と、
前記画像情報に前記文字コード情報を添付するフォーマット変換部と、
前記変換を行う文字情報を設定する設定手段と、
を備える医用画像ゲートウェイ装置であって、
前記設定手段は、前記添付を行わない無視文字情報を設定する無視文字設定手段を有し、
前記文字認識部は、前記文字コード情報に存在する前記無視文字情報の無視文字コード情報を、削除あるいは１つの特定コード情報に変換するコード変換部を有すること、
を特徴とする医用画像ゲートウェイ装置。
【請求項２】
前記設定手段は、前記文字情報とは別に前記無視文字情報を管理することを特徴とする請求項１に記載の医用画像ゲートウェイ装置。
【請求項３】
前記無視文字設定手段は、前記無視文字情報を設定および表示する無視文字選択画面を有し、前記無視文字選択画面では、前記文字情報の文字画像および前記無視文字情報の文字画像は、色分けされることを特徴とする請求項１あるいは２のいずれか１つに記載の医用画像ゲートウェイ装置。
【請求項４】
医用画像ゲートウェイ装置のコンピュータを、
医用画像装置から画像情報を取得し、前記画像情報の指定領域に存在する文字画像情報を、文字コード情報に変換する文字認識手段、
前記画像情報に前記文字コード情報を添付するフォーマット変換手段、
前記変換を行う文字情報を設定し、さらに前記添付を行わない無視文字情報を設定する設定手段、
前記文字認識手段を、前記文字コード情報に前記無視文字情報の無視文字コード情報が含まれる際に、前記無視文字コード情報を削除あるいは１つの特定コード情報に変換するコード変換手段、
として機能させるためのプログラム。
【発明の詳細な説明】
【０００１】
【発明の属する技術分野】
この発明は、画像情報の指定領域に含まれる文字画像情報を、文字コード情報に変換する医用画像ゲートウェイ装置およびプログラムに関する。
【０００２】
【従来の技術】
近年、医療施設においては、医用画像装置の普及により、複数の医用画像装置からの医用画像情報が、医用画像ゲートウェイ装置および通信回線を介してサーバーあるいはビューワ等の受信側の装置に転送される。医用画像ゲートウェイ装置は、医用画像情報およびこの画像の属性情報を、規格化されたフォーマットに変換した後に、医用画像情報を受信側の装置に出力する。受信側の装置では、医用画像ゲートウェイ装置からの属性情報を読み取り、この情報に基づいて、医用画像情報に、表示、プリントあるいは保存といった処理を行う。これにより、機能的に医用画像の検査および管理が行われる。
【０００３】
ここで、医用画像情報の属性情報、すなわち患者識別番号、患者名、撮影日時等は、医用画像情報の指定領域に、文字の画像情報として含まれることがある。この際、医用画像ゲートウェイ装置は、文字の画像情報を読み取ってコード情報に変換した後に、属性情報として画像情報に添付し、受信側の装置に出力する。しかし、医用画像ゲートウェイ装置では、文字の画像情報の読み取りの際に、読み取りミスが発生することがある。特に、指定領域に医用画像がオーバーラップする場合にあっては、文字の画像情報の読み取りミスが多発する。ここで、複数の同様の医用画像が存在する場合には、画像処理により、読み取りミスを無くすことも行われる（例えば、特許文献１参照）。
【０００４】
【特許文献１】
特開２００２―１０９４６６号公報  （第３頁、第２〜３図）
【０００５】
【発明が解決しようとする課題】
しかしながら、上記従来技術において、文字の画像情報の読み取りミスを完全に無くすことはできず、医用画像情報を受信する側の装置で、読み取りミスに起因するエラーが発生し、エラー表示がなされる。
【０００６】
特に、システム化された医療施設においては、医用画像装置に付属する医用画像ゲートウェイ装置、並びに、受信側の装置は、離れた場所に配設されることも多く、距離的に離れた医用画像ゲートウェイ装置に起因する受信側の装置で発生するエラー表示は、オペレータにとって負担となる。
【０００７】
これらのことから、医用画像情報に含まれる文字画像情報の読み取りミスに起因する受信側の装置でのエラーを無くす医用画像ゲートウェイ装置およびプログラムをいかに実現するかが重要となる。
【０００８】
この発明は、上述した従来技術による課題を解決するためになされたものであり、医用画像情報に含まれる文字画像情報の読み取りミスに起因する受信側の装置でのエラーを無くす医用画像ゲートウェイ装置およびプログラムを提供することを目的とする。
【０００９】
【課題を解決するための手段】
上述した課題を解決し、目的を達成するために、請求項１に記載の発明にかかる医用画像ゲートウェイ装置は、医用画像装置から画像情報を取得し、前記画像情報の指定領域に存在する文字画像情報を文字コード情報に変換する文字認識部と、前記画像情報に前記文字コード情報を添付するフォーマット変換部と、前記変換を行う文字情報を設定する設定手段と、を備える医用画像ゲートウェイ装置であって、前記設定手段は、前記添付を行わない無視文字情報を設定する無視文字設定手段を有し、前記文字認識部は、前記文字コード情報に存在する前記無視文字情報の無視文字コード情報を、削除あるいは１つの特定コード情報に変換するコード変換部を有すること、を特徴とする。
【００１０】
この請求項１に記載の発明よれば、設定手段は、無視文字設定手段により、添付を行わない無視文字情報を設定し、文字認識部は、コード変換部により、文字コード情報に存在する無視文字情報の無視文字コード情報を、削除あるいは１つの特定コード情報に変換することとしているので、文字認識部で、文字画像情報から文字コード情報への変換ミスを生じる文字情報を、無視文字情報として設定し、無視文字情報の文字コード情報を添付しないので、文字コード情報を受信し、文字画像情報を生成する受信側の装置で、前記無視文字情報に起因するエラーを防止することができる。
【００１１】
また、請求項２に記載の発明にかかる医用画像ゲートウェイ装置は、前記設定手段は、前記文字情報とは別に前記無視文字情報を管理することを特徴とする。
【００１２】
この請求項２に記載の発明によれば、設定手段は、文字情報とは別に無視文字情報を管理することとしているので、従来の文字認識部に、容易に付加できる形態で、しかも、オペレータにとっても、簡易に無視文字情報を追加、変更等の管理を行うことができる。
【００１３】
また、請求項３に記載の発明にかかる医用画像ゲートウェイ装置は、前記無視文字設定手段は、前記無視文字情報を設定および表示する無視文字選択画面を有し、前記無視文字選択画面では、前記文字情報の文字画像および前記無視文字情報の文字画像は、色分けされることを特徴とする。
【００１４】
この請求項３に記載の発明によれば、無視文字設定手段は、無視文字情報を設定および表示する無視文字選択画面を有し、この無視文字選択画面では、文字情報の文字画像および無視文字情報の文字画像は、色分けされることとしているので、オペレータは、無視文字画像情報の設定の際に、容易に、無視文字画像情報と、その他の文字画像情報を区別することができる。
【００１５】
また、請求項４に記載の発明にかかるプログラムは、医用画像ゲートウェイ装置のコンピュータを、医用画像装置から画像情報を取得し、前記画像情報の指定領域に存在する文字画像情報を、文字コード情報に変換する文字認識手段、前記画像情報に前記文字コード情報を添付するフォーマット変換手段、前記変換を行う文字情報を設定し、さらに前記添付を行わない無視文字情報を設定する設定手段、前記文字認識手段を、前記文字コード情報に前記無視文字情報の無視文字コード情報が含まれる際に、前記無視文字コード情報を削除あるいは１つの特定コード情報に変換するコード変換手段、として機能させる。
【００１６】
この請求項４に記載の発明によれば、医用画像ゲートウェイ装置のコンピュータを、文字認識手段により、医用画像装置から画像情報を取得し、この画像情報の指定領域に存在する文字画像情報を、文字コード情報に変換し、フォーマット変換手段により、画像情報に文字コード情報を添付し、設定手段により、変換を行う文字情報を設定し、さらに添付を行わない無視文字情報を設定し、文字認識手段のコード変換手段により、文字コード情報に無視文字の無視文字コード情報が含まれる際に、この無視文字コード情報を削除あるいは１つの特定コード情報に変換する様に機能させることとしているので、文字認識部で、文字画像情報から文字コード情報への変換ミスを生じる文字情報を、無視文字情報として設定し、無視文字情報の文字コード情報を添付しないので、文字コード情報を受信し、文字画像情報を生成する受信側の装置で、前記無視文字情報に起因するエラーを防止することができる。
【００１７】
【発明の実施の形態】
以下に添付図面を参照して、この発明にかかる医用画像ゲートウェイ装置およびプログラムの好適な実施の形態について説明する。なお、これにより本発明が限定されるものではない。
【００１８】
まず、本実施の形態にかかる医用画像ゲートウェイ装置を含むシステムの全体構成の一例について説明する。図２は、本実施の形態にかかるシステムを示す図である。本システムは、Ｘ線ＣＴ装置１１０、アンギオ装置１４０、イメージャ１３０、サーバー１８０、端末１７０、医用画像ゲートウェイ（以下、ゲートウェイと称する）１００、１２０および１５０、並びにＬＡＮ（Ｌｏｃａｌ  Ａｒｅａ  Ｎｅｔｗｏｒｋ）１６０等を含む。ここで、Ｘ線ＣＴ装置１１０およびアンギオ装置１４０は、画像情報を出力する側の装置をなし、イメージャ１３０および端末１７０は、画像情報を受信する側の装置をなし、サーバー１８０は、画像情報を受信および送信する装置をなしている。
【００１９】
Ｘ線ＣＴ装置１１０は、被検体の断層撮影を行い、取得した画像情報をゲートウェイ１００に出力する。ゲートウェイ１００は、この画像情報を、例えばＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格の仕様（以下、ＤＩＣＯＭ仕様と称する）にフォーマット変換した後に、ＬＡＮ１６０上に出力する。なお、ＤＩＣＯＭ規格とは、米国放射線学会（ＡＣＲ）および北米電子機器工業界（ＮＥＭＡ）により開発された医用画像と通信に関するＮＥＭＡの標準規格である。
【００２０】
アンギオ装置１４０は、被検体の血管造影を行い、取得した画像情報をゲートウェイ１５０に出力する。ゲートウェイ１５０は、ゲートウェイ１００と同様に、ＤＩＣＯＭ仕様にフォーマット変換の後に、ＬＡＮ１６０上に画像情報を出力する。なお、図２では、Ｘ線ＣＴ装置１１０およびアンギオ装置１４０を例示したが、その他の画像撮影装置、例えば磁気共鳴撮像装置あるいはガンマカメラ等をゲートウェイを介してＬＡＮ１６０に接続することもできる。
【００２１】
イメージャ１３０は、ＬＡＮ１６０を介して取得した画像情報を、レーザによりプリント用紙上に画像形成し、画像情報のハードコピーを作成する。なお、イメージャ１３０がＤＩＣＯＭ仕様の入力部を備えていない際には、図２に示した様に、ＤＩＣＯＭ仕様の画像情報は、ゲートウェイ１２０を介してを入力される。また、イメージャ１３０が、ＤＩＣＯＭ仕様の入力部を備える際には、ゲートウェイ１２０を省くことができる。
【００２２】
サーバー１８０は、大容量の画像メモリを有しており、ＬＡＮ１６０を介して取得した画像情報を、蓄積し保存する。端末１７０は、ＬＣＤ等の画像表示装置を有し、ＬＡＮ１６０を介して取得した画像情報を、画面上に表示するビューワの役割を有する。
【００２３】
ＬＡＮ１６０は、医療施設内で通信ケーブルを用いて行うネットワークであり、ＣＳＭＡ／ＣＤ方式等を用いて、画像入出力装置間で画像情報の送受信を行う。
【００２４】
つづいて、図１にゲートウェイ１００の機能ブロック図を示す。ゲートウェイ１００は、属性情報入力部２１０、画像情報入力部２２０、文字認識部２３０、設定手段２４０およびフォーマット変換部２８０を含む。ゲートウェイ１００は、画像情報を、Ｘ線ＣＴ装置１１０から取得する。この画像情報は、例えば、セントロニクス等のパラレルインターフェイスにより取得され画像情報入力部２２０に格納される。
【００２５】
ここで、ゲートウェイ１００では、文字認識部２３０により、画像情報の指定領域に画像情報として記録された文字情報、例えば患者識別番号（以下、患者ＩＤと称する）、患者名、撮影日時等を、入力された画像情報から読み取り、文字コードへの変換を行う。
【００２６】
文字認識部２３０により読み取られた文字コードは、属性情報として、属性情報入力部２１０に入力される。その後、属性情報入力部２１０の属性情報および読み取りを終了した画像情報は、フォーマット変換部２８０へ送られ、ＤＩＣＯＭ仕様の画像情報およびこの画像情報のヘッダー情報への変換が行われた後に、ＬＡＮ１６０上に出力される。また、属性情報は、Ｘ線ＣＴ装置１１０に接続されるＲＳ２３２Ｃ等のシリアルインターフェイスにより、Ｘ線ＣＴ装置１１０から取得され、属性情報入力部２１０に格納されることもある（図１中に点線で図示）。この場合には、文字認識部２３０で読み取られる属性情報に加え、さらに詳細な属性情報、例えば画像情報の撮像位置情報等が付加される。
【００２７】
画像情報入力部２２０に格納される画像情報は、画像撮影装置および撮影条件により異なるが、８〜１２ビット程度の濃淡階調情報で、概ね３２０×３２０程度の画素数を有する。
【００２８】
画像情報に含まれる文字情報を読み取る文字認識部２２３は、読み取り部２３１、コード変換部２３２および辞書部２２３を含む。ここで、読み取り部２３１は、画像情報の指定領域に含まれる文字画像情報を、ＣＣＤ等により読み取る。コード変換部２３２および辞書部２２３は、既に知られているＯＣＲ（Ｏｐｔｉｃａｌ  Ｃｈａｒａｃｔｅｒ  Ｒｅｃｏｇｎｉｔｉｏｎ）ソフトウェアを含んでおり、読み取り部２３１で読み取られた文字画像情報を、テンプレートあるいは特徴抽出等の技術により、文字コードに変換する。辞書部２２３には、文字画像情報と文字コード情報の対応表をなす登録文字辞書２２４および無視文字辞書２２５が格納されており、コード変換部２３２は、これら辞書を参照しつつ、読み取り情報を文字コードに変換する。なお、登録文字辞書２２４には、例えば、英数字あるいはカタカナの文字コードが登録される。
【００２９】
設定手段２４０は、ゲートウェイ１００に接続されるＬＣＤおよびキーボード等の表示および入力装置のインターフェースからなり、ＬＣＤおよびキーボード等の表示および入力装置を接続することにより、辞書部２２３の登録文字辞書２２４および無視文字辞書２２５の設定および変更を行う。
【００３０】
ここで、ＬＡＮ１６０上に出力されたＤＩＣＯＭ仕様の画像情報を受信する側の装置の一例として、ビューワをなす端末１７０の機能ブロック図を図３に示す。受信する側の装置は、すべて、概ね同様の機能を有している。端末１７０は、機能的には図１のゲートウェイ１００とは全く逆のプロセスにより、画像情報および文字画像情報を生成し表示する。ＬＡＮ１６０上のＤＩＣＯＭ仕様の画像情報は、フォーマット変換部３８０に入力され、この機器固有のフォーマットにフォーマット変換され、画像情報出力部３２０を経て表示部３４０に出力される。他方、画像情報にヘッダー情報として添付された属性情報は、文字再現部３３０により、文字コード情報から文字画像情報に変換され、属性情報出力部３１０から表示部３４０に出力される。
【００３１】
この際、文字再現部３３０では、逆コード変換部３３２において、属性情報に含まれる、文字コード情報から文字画像情報への変換が行われる。また、この変換の際に、逆コード変換部３３２は、辞書部３２３の登録文字辞書３２４を参照し、文字コードから文字画像への変換を行う。
【００３２】
ここで、図１に示した文字認識部２３０の登録文字辞書２２４と、図３に示した文字再現部３３０の登録文字辞書３２４とは、概ね一致するものであるが、部分的に異なる場合が存在する。特に、ゲートウェイ１００の登録文字辞書２２４は、一般的な文字読み取りを行うＯＣＲとしての機能上、比較的多数の登録文字を有する。
【００３３】
また、一例として示した、端末１７０の登録文字辞書３２４は、患者ＩＤ、患者名、撮影日時等の医用画像特有の属性情報を表示する目的から、登録文字は比較的限定される。さらに、端末１７０の登録文字辞書３２４で示した部分は、メーカーあるいは装置ごとに多少異なり、詳細は不明である場合も存在する。
【００３４】
これらのことから、文字認識部２３０で文字画像情報の読み取りミスが発生し、通常使用されない文字コード情報が属性情報に含まれる場合に、この文字コード情報を受信した装置の文字再現部でエラーが生じることがある。また、経験上、読み取りミスにより生成される文字コード情報は、比較的特定の文字コード情報に限定されて繰り返し発生し、一例として、「―」、「：」と言った括弧中の文字では、対応する文字コード情報が、読み取りミスにより生成されることがある。
【００３５】
つづいて、ゲートウェイ１００の詳細な動作を説明する前に、オペレータにより、無視文字情報が決定されるプロセスを、図４を用いて説明する。図４は、一例として、画像情報の出力装置としてＸ線ＣＴ装置１１０、画像情報の入力装置として端末１７０を用いた場合の、画像情報に添付される文字情報およびオペレータにより設定される無視文字情報の流れを示す図である。
【００３６】
Ｘ線ＣＴ装置１１０は、画像情報をゲートウェイ１００に出力する。ゲートウェイ１００は、画像情報から文字画像情報を読み取り、文字コード情報に変換する。そして、この文字コード情報のフォーマット変換を行い、ＬＡＮ１６０に出力する。端末１７０は、ＬＡＮ１６０上の、画像情報およびこの画像情報に添付されたこの文字コード情報を入力する。端末１７０は、この画像情報に添付される文字コード情報を文字画像情報に逆コード変換し、表示を行う。
【００３７】
ここで、端末１７０で、逆コード変換を行う際に、画像情報に添付される文字コード情報が、登録文字辞書３２４に含まれない文字コード情報を含む際にエラー表示がなされる。オペレータは、このエラー表示がなされた文字を、無視文字情報として、ゲートウェイ１００に設定する（図４の点線で指示）。以後、この無視文字情報によるエラー表示は、生じなくなる。このプロセスを反復することにより、無視文字情報は、徐々に決定され、Ｘ線ＣＴ装置１１０から端末１７０に画像情報を転送し表示するプロセスは、表示エラーの生じない、信頼性の高いものになる。
【００３８】
つづいて、図５のフローチャートを用いて、無視文字情報が設定される際のゲートウェイ１００の詳細な動作を説明する。まず、オペレータは、設定手段２４０から無視文字辞書２２５に、文字画像情報の読み取りの際に無視する文字情報を設定する（ステップＳ４０１）。
【００３９】
また、図６に、無視文字情報を設定する、設定手段２４０の無視文字選択画面の一例を示す。この無視文字選択画面は、画面左部に位置する画面選択キーのイグノアテキスト（ｉｇｎｏｒｅ  ｔｅｘｔ）キーを選択することによりＬＣＤ等に表示される。無視文字選択画面の下部には、文字一覧が表示されており、辞書部２２３の登録文字辞書２２４に登録されている文字が一覧表示されている。
【００４０】
オペレータは、この文字一覧から、カーソル等により無視文字を選択する。そして、選択された無視文字は、無視文字選択画面の上部に位置する表示画面上に表示される。表示画面の無視文字は、確認の後に無視文字辞書２２５に格納される。この際、無視文字選択画面上の文字を色分けをすることにより、より明瞭に間違いの無い選択を行うことができる。例えば、文字一覧の表示文字が、登録文字辞書２２４に無い文字を含む場合には、登録文字のみ青色表示とし、この登録文字である青色表示の文字から、無視文字を選択する。さらに選択された無視文字を赤色表示に変えることにより、明瞭に登録文字、無視文字およびその他の文字を区別することができる。なお、色分けの代わりに白黒反転表示を用いることも出来る。
【００４１】
その後、図５に戻り、ゲートウェイ１００は、Ｘ線ＣＴ装置１１０から画像情報入力部２２０に、画像情報を取得する（ステップＳ４０２）。そして、文字認識部２３０は、この画像情報の指定領域に存在する文字画像情報を読み取る（ステップＳ４０３）。図７（Ａ）に、画像情報入力部２２０に入力された取得画像の例を示す。取得画像中心部には、患者の断層画像が位置し、周辺部の指定される指定領域には、患者情報あるいは撮像条件等の属性情報が文字画像情報として入力されている。
【００４２】
図７（Ｂ）は、取得画像の周辺部に位置する指定領域に記述される文字画像情報の例を示した。この指定領域には、撮影日時、患者名、性別、年齢および患者ＩＤ等が記載されている。
【００４３】
その後、図５に戻り、文字認識部２３０は、読み取った指定領域の文字画像情報を、ＯＣＲを用いて文字コードに変換する（ステップＳ４０４）。この際、コード変換部２３２は、辞書部２２３の登録文字辞書２２４を参照し、順次指定領域の文字画像情報を文字コードに変換して行く。また、コード変換部２３２は、変換された文字コードが、無視文字辞書２２５に存在する文字コードである場合には、この文字コードおよび文字コード枠を削除する。
【００４４】
なお、コード変換部２３２は、変換された文字コードが、無視文字辞書２２５に存在する文字コードである場合に、これらの文字コードを１つの特定コードに変換することもできる。この場合、オペレータは、設定手段２４０により、１つの特定コードを、通常使用されない登録文字辞書２２４の登録文字で、しかも受信される端末１７０の登録文字辞書３２４に登録されている文字から選択する。そして、コード変換部２３２が、無視文字辞書２２５に存在する文字を検出する際に、この文字コードを特定コードに変換して、属性情報入力部２１０に出力する。この特定コードとして、例えば、「＊」の括弧中の記号に相当する文字コードを用いることにより、端末１７０のオペレータは、この部分が無視文字情報に含まれる文字コードであることを認知することができる。
【００４５】
その後、ゲートウェイ１００は、フォーマット変換部２８０において、画像情報およびこの画像情報の属性情報を、ＤＩＣＯＭ仕様の画像情報およびヘッダー情報に変換する（ステップＳ４０５）。そして、この画像情報をＬＡＮ１６０上に出力する（ステップＳ４０６）。
【００４６】
その後、ゲートウェイ１００は、画像情報の再出力を行うかどうかを判定し（ステップＳ４０７）、再出力を行う場合には（ステップＳ４０７肯定）、ステップＳ４０２に移行し、Ｘ線ＣＴ装置１１０から画像情報の入力を行う。また、再出力を行わない場合には（ステップＳ４０７否定）、本処理を終了する。
【００４７】
上述してきたように、本実施の形態では、オペレータが、端末１７０でエラーを生じさせる文字コードを、ゲートウェイ１００の設定手段２４０から無視文字辞書２２５に設定し、コード変換部２３２が、画像情報から読み取られた文字画像情報を文字コードに変換した後で、この文字コードが無視文字辞書２２５に設定された文字コードである場合に、この文字コードを無視あるいは別途設定された特定コードに変換することとしているので、端末１７０に転送された画像情報を表示する際に、文字再現部３３０でエラーを発生することなく動作させることができる。
【００４８】
また、本実施の形態では、登録文字辞書２２４には、英数字あるいはカタカナの文字コードが登録されることとしたが、漢字等を含むその他の文字コードを含ませることもできる。
【００４９】
【発明の効果】
以上説明したように、請求項１に記載の発明によれば、設定手段は、無視文字設定手段により、添付を行わない無視文字情報を設定し、文字認識部は、コード変換部により、文字コード情報に存在する無視文字情報の無視文字コード情報を、削除あるいは１つの特定コード情報に変換することとしているので、文字認識部で、文字画像情報から文字コード情報への変換ミスを生じる文字情報を、無視文字情報として設定し、無視文字情報の文字コード情報を画像情報に添付しないので、文字コード情報を受信し、文字画像情報を生成する受信側の装置で、前記無視文字情報に起因するエラーを防止することができる。
【００５０】
請求項２に記載の発明によれば、設定手段は、文字情報とは別に無視文字情報を管理することとしているので、従来の文字認識部に、容易に付加できる形態で、しかも、オペレータにとっても、簡易に無視文字情報を追加、変更等の管理を行うことができる。
【００５１】
請求項３に記載の発明によれば、無視文字設定手段は、無視文字情報を設定および表示する無視文字選択画面を有し、この無視文字選択画面では、文字情報の文字画像および無視文字情報の文字画像は、色分けされることとしているので、オペレータは、無視文字画像情報の設定の際に、容易に、無視文字画像情報と、その他の文字画像情報を区別することができる。
【００５２】
請求項４に記載の発明によれば、医用画像ゲートウェイ装置のコンピュータを、文字認識手段により、医用画像装置から画像情報を取得し、この画像情報の指定領域に存在する文字画像情報を、文字コード情報に変換し、フォーマット変換手段により、画像情報に文字コード情報を添付し、設定手段により、変換を行う文字情報を設定し、さらに添付を行わない無視文字情報を設定し、文字認識手段のコード変換手段により、文字コード情報に無視文字の無視文字コード情報が含まれる際に、この無視文字コード情報を削除あるいは１つの特定コード情報に変換する様に機能させることとしているので、文字認識部で、文字画像情報から文字コード情報への変換ミスを生じる文字情報を、無視文字情報として設定し、無視文字情報の文字コード情報を画像情報に添付しないので、文字コード情報を受信し、文字画像情報を生成する受信側の装置で、前記無視文字情報に起因するエラーを防止することができる。
【図面の簡単な説明】
【図１】医用画像ゲートウェイ装置の動作を示す機能ブロック図である。
【図２】医用画像ゲートウェイ装置を用いたネットワークの全体構成を示す図である。
【図３】ビューワをなす端末の動作を示す機能ブロック図である。
【図４】無視文字情報を決定するプロセスを示す図である。
【図５】医用画像ゲートウェイの動作を示すフローチャートである。
【図６】設定手段の無視文字選択画面の一例を示す図である。
【図７】画像情報および画像情報の指定領域の一例を示す図である。
【符号の説明】
１００、１２０、１５０  ゲートウェイ
１１０  Ｘ線ＣＴ装置
１３０  イメージャ
１４０  アンギオ装置
１７０  端末
１８０  サーバー
２１０  属性情報入力部
２２０  画像情報入力部
２２３  文字認識部
２２３  辞書部
２２４  登録文字辞書
２２５  無視文字辞書
２３０  文字認識部
２３１  読み取り部
２３２  コード変換部
２４０  設定手段
２８０、３８０  フォーマット変換部
３１０  属性情報出力部
３２０  画像情報出力部
３２３  辞書部
３２４  登録文字辞書
３３０  文字再現部
３３２  逆コード変換部
３４０  表示部
【図１】
2004265293.tif 000003
【図２】
2004265293.tif 000004
【図３】
2004265293.tif 000005
【図４】
2004265293.tif 000006
【図５】
2004265293.tif 000007
【図６】
2004265293.tif 000008
【図７】
2004265293.tif 000009